(57)【要約】【課題】表示板本体に対して表示シールを貼着する場合に、上下一対の表示対象がよく似た絵柄等である場合、上下一対の表示シールを上下逆さに取り付けてしまうのを防止できる回転表示装置を提供する。【解決手段】駆動手段により回転駆動される回転体の両側フランジ外周部間に複数の表示板３２を回動自在に支持し、前記回転体を任意の位置で停止させ上側の表示位置で保持することで、上下一対の表示板３２により所定の表示を行うとともに、表示板３２は、所定の表示対象６０の上下一方を分割表示した表示シール５６と、表示シール５６を貼着する表裏両面の薄板状の貼着部６２と、貼着部６２の一辺側より両側方に突出してフランジと係合する軸支部６６とを有する表示板本体５８とを含み、貼着部６２は両隅部７０ａ、７０ｂにおける形状が互いに異なる形状とされ、表示シール５６は貼着部６２の形状に相応した形状とされている。【選択図】図３
2006081950.tif 000002
【特許請求の範囲】
【請求項１】
駆動手段により回転駆動される回転体の両側フランジ外周部間に複数の表示板を回動自在に支持し、前記回転体を任意の位置で停止させ上側の表示板を表示位置で保持することで、上下一対の表示板により所定の表示を行うと共に、
前記表示板は、所定の表示対象の上下一方を分割表示した表示シールと、
前記表示シールを貼着する表裏両面の薄板状の貼着部と、前記貼着部の１辺側より両側方に突出して前記フランジと係合する軸支部とを有する表示板本体とを含む回転表示装置において、
前記貼着部は、両隅部における形状が互いに異なる形状とされ、
前記表示シールは、前記貼着部の形状に相応した形状とされていることを特徴とする回転表示装置。
【請求項２】
請求項１において、
前記表示シールには、上下一対の表示シールのうちいずれが上または下であるかを示す上下表示が付されていることを特徴とする回転表示装置。
【請求項３】
請求項２において、
前記上下表示は、上下一対の表示シールの貼り付け順を示す表示であることを特徴とする回転表示装置。
【請求項４】
請求項１〜３のいずれかにおいて、
前記両側方に突出する軸支部は、それぞれ太さを相違させて形成され、
前記回転体の両側フランジには、それぞれ前記軸支部の太さに対応して大きさの相違する支持係合孔が形成されていることを特徴とする回転表示装置。
【請求項５】
請求項１〜３のいずれかにおいて、
前記両側方に突出する軸支部は、一方が長く、他方が短く形成され、
前記回転体の両側フランジには、一方に長い軸支部を支持する貫通した支持係合孔が形成され、他方に短い軸支部を支持する一端が閉塞した支持係合孔が形成されていることを特徴とする回転表示装置。
【請求項６】
請求項１〜５のいずれかにおいて、
前記各表示板には、表示板の取り付け順番を示す表示が設けられ、
前記回転体のフランジには、前記表示板の取付け位置にその順番に対応した表示が設けられていることを特徴とする回転表示装置。
【請求項７】
請求項１において、
前記回転体の少なくとも一方のフランジ外周部には、前記各表示板の取付け位置に、外周側に開口を有し、前記軸支部を前記開口より弾発性にて嵌入可能にする支持係合孔を形成したことを特徴とする回転表示装置。
【請求項８】
駆動手段により回転駆動される回転体の両側フランジ外周部間に複数の表示板を回動自在に支持し、前記回転体を任意の位置で停止させ上側の表示板を表示位置で保持することで、上下一対の表示板により所定の表示を行う回転表示装置において、
前記表示板は、所定の表示対象の上下一方を分割表示した表示シールと、
前記表示シールを貼着する表裏両面の薄板状の貼着部と、前記貼着部の１辺側より両側方に突出して前記フランジと係合する軸支部とを有する表示板本体とを含み、
前記表示シールには、表示シールの上下を示す表示が付され、
前記表示板本体には、表示板本体の上下を示す表示が付されていることを特徴とする回転表示装置。
【発明の詳細な説明】
【技術分野】
【０００１】
本発明は、回転表示装置に関し、特に、複数の表示板を取り付けた回転体を回転させて上下一対の表示板により所定の表示を行うリーフ式の回転表示装置に関する。
【背景技術】
【０００２】
一般に、リーフ式の回転表示装置は、モータ等の駆動手段で回転される円筒状の回転ドラムの外周に複数の表示板を回動自在に支持し、表示面を構成する上下一対の表示板のうち上側の表示板を表示板にストッパで係止し、回転ドラムを任意の位置で停止させることにより表示位置に位置する上下一対の表示板で絵柄を表示するようにしている。
【０００３】
この場合、表示板の自由端側の先端縁が前後する他の表示板の表面を擦るため表面が摩耗して表示が見えにくくなる。
【０００４】
そこで、射出成形により表示対象のない表示板本体となるものを形成し、この表示板本体の外周部に額縁状に隆起した擦れ防止部を一体に形成し、この表示板本体に表示対象をプリントした表示フィルムを貼着するようにしたものが提案されている（特許文献１参照）。
【特許文献１】特許第２６４５８１７号公報
【発明の開示】
【発明が解決しようとする課題】
【０００５】
しかし、このような表示板にあっては、表示板本体と表示フィルムとを別個に形成し、後で表示本体に対して表示フィルムを貼着するようにしているため、上下一対の表示対象がよく似た絵柄等である場合、上下一対の表示フィルムを上下逆さに取り付けてしまうおそれがある。
【０００６】
また、動画を表示しようとする場合や似た図柄を連続して用いるような場合、表示フィルムの区別が付きにくく、貼り順を間違えてしまうおそれがある。
【０００７】
さらに、表示板の表裏が見分けにくいと、回転ドラムに対して表裏逆に取り付けてしまいやすい。
【０００８】
そしてさらに、表示板の回転ドラムに対する取付けは、表示板に突出形成した軸支部を表示板を湾曲させながら回転ドラムの係止孔に挿入する状態となっているため、額縁状の擦れ防止部があると表示板を湾曲させにくく、取付けが困難である。
【０００９】
本発明の目的は、表示板本体に対して表示シールを貼着する場合に、上下一対の表示対象がよく似た絵柄等である場合、上下一対の表示シールを上下逆さに取り付けてしまうのを防止できる回転表示装置を提供することにある。
【００１０】
本発明の他の目的は、動画を表示しようとする場合や似た図柄を連続して用いるような表示フィルムの区別が付きにくい場合であっても、貼り順を間違えることのない回転表示装置を提供することにある。
【００１１】
さらに本発明の他の目的は、表示板の表裏が見分けにくい場合であっても、回転ドラムに対して表裏逆に取り付けるのを防止できる回転表示装置を提供することにある。
【００１２】
そしてさらに、本発明の他の目的は、表示板を湾曲させにくい場合であっても、回転体に対する取付けが容易に行える回転表示装置を提供することにある。
【課題を解決するための手段】
【００１３】
前記目的を達成するため、本発明の回転表示装置は、駆動手段により回転駆動される回転体の両側フランジ外周部間に複数の表示板を回動自在に支持し、前記回転体を任意の位置で停止させ上側の表示板を表示位置で保持することで、上下一対の表示板により所定の表示を行うと共に、
前記表示板は、所定の表示対象の上下一方を分割表示した表示シールと、
前記表示シールを貼着する表裏両面の薄板状の貼着部と、前記貼着部の外周の１辺を除き他の３辺を囲う隆起した枠部と、前記枠部の形成されていない１辺側より両側方に突出して前記フランジと係合する軸支部とを有する表示板本体とを含む回転表示装置において、
前記貼着部は、前記枠部の両隅部における形状が互いに異なる形状とされ、
前記表示シールは、前記貼着部の形状に相応した形状とされていることを特徴とする。
【００１４】
本発明によれば、表示板本体に対して表示シールを貼着する場合に、貼着部の枠部の両隅部における形状が互いに異なる形状とされ、表示シールが貼着部の形状に相応した形状とされているため、上下一対の表示対象がよく似た絵柄等である場合であっても、上下逆さに取り付けようとすると、正常な状態でなければ貼着部の両隅部の形状と表示シールの形状が合わなくなり、その結果、上下一対の表示シールを上下逆さに取り付けてしまうのを防止できる。
【００１５】
本発明においては、前記表示シールには、上下一対の表示シールのうちいずれが上または下であるかを示す上下表示が付された状態とすることができる。
【００１６】
このような構成とすることにより、上下表示を付すことで、より一層上下逆さに取り付けることを防止できる。
【００１７】
この場合、前記上下表示は、上下一対の表示シールの貼り付け順を示す表示とすることができる。
【００１８】
このような構成とすることにより、上下表示を貼り付け順を示す表示とすることで、動画を表示しようとする場合や似た図柄を連続して用いるような表示フィルムの区別が付きにくい場合であっても、貼り順の間違えを防止することができる。
【００１９】
本発明においては、前記両側方に突出する軸支部を、それぞれ太さを相違させて形成し、前記回転体の両側フランジに、それぞれ前記軸支部の太さに対応して大きさの相違する支持係合孔を形成することができる。
【００２０】
このような構成とすることにより、表示板の表裏が見分けにくい場合であっても、軸支部の太さと支持係合孔の大きさとが合致するように取り付けなければ取り付け不能であるため、回転体に対して表裏逆に取り付けるのを確実に防止できる。
【００２１】
本発明においては、前記両側方に突出する軸支部は、一方が長く、他方が短く形成され、前記回転体の両側フランジには、一方に長い軸支部を支持する貫通した支持係合孔が形成され、他方に短い軸支部を支持する一端が閉塞した支持係合孔が形成された状態とすることができる。
【００２２】
このような構成とすることにより、長い軸支部を一端が閉塞した支持係合孔に取り付けようとしても取付けができず、軸支部と支持係合孔を合致させなければならないため、表示板の表裏が見分けにくい場合であっても、回転体に対して表裏逆に取り付けるのを確実に防止できる。
【００２３】
本発明においては、前記各表示板には、表示板の取り付け順番を示す表示が設けられ、前記回転体のフランジには、前記表示板の取付け位置にその順番に対応した表示が設けられた状態とすることができる。
【００２４】
このような構成とすることにより、表示板の絵柄が判別しにくい場合でも、各表示板に付された表示と回転体のフランジに付された表示とを合致させるように取り付けていくことで、フランジに対する表示板の取り付け順番を誤ることなく確実に取り付けることができる。
【００２５】
本発明においては、前記回転体の少なくとも一方のフランジ外周部には、前記各表示板の取付け位置に、外周側に開口を有し、前記軸支部を前記開口より弾発性にて嵌入可能にする支持係合孔を形成することができる。
【００２６】
このような構成とすることにより、表示板を湾曲させにくい場合であっても、外周側の開口より弾発性により軸支部を支持係合孔に嵌入することで、表示板を回転体に対して容易に取付けることができる。
【００２７】
本発明の他の回転装置は、駆動手段により回転駆動される回転体の両側フランジ外周部間に複数の表示板を回動自在に支持し、前記回転体を任意の位置で停止させ上側の表示板を表示位置で保持することで、上下一対の表示板により所定の表示を行う回転表示装置において、
前記表示板は、所定の表示対象の上下一方を分割表示した表示シールと、
前記表示シールを貼着する表裏両面の薄板状の貼着部と、前記貼着部の１辺側より両側方に突出して前記フランジと係合する軸支部とを有する表示板本体とを含み、
前記貼着部は、前記軸支部側と反対側の両角部における形状が互いに異なる形状とされ、
前記表示シールは、前記貼着部の形状に相応した形状とされていることを特徴とする。
【００２８】
本発明によれば、貼着部の両角部の形状が互いに異なる形状で、表示シールの形状が貼着部の形状に相応した形状となっているため、上下正常な状態でなければ貼着部と表示シールの形状が一致しないこととなり、上下一対の表示シールを上下逆さに取り付けてしまうのを防止できる。
【発明を実施するための最良の形態】
【００２９】
以下、本発明の実施の形態について、図面を参照して説明する。
【００３０】
図１〜図３は、本発明の一実施の形態に係る回転表示装置を示す図である。
【００３１】
図１には、本実施の形態に係る回転表示装置を組み込んだパチンコ遊技機の正面図が示されている。
【００３２】
このパチンコ遊技機１０は、その正面上半部に、遊技用の遊技盤１２が設けられ、正面下半部にパチンコ玉の打球供給皿１４が設けられ、その下方に余剰玉受け皿１６及び操作部１８が設けられている。
【００３３】
遊技盤１２の遊技玉が通過する遊技領域側の中段部の左側には、普通図柄入賞口として機能するスルーチャッカー２０が設けられ、さらに、下段部の中央には特別図柄始動入賞口として機能しスタートチャッカーと呼ばれる始動入賞口２２と、大当り入賞口２４が設けられ、さらに下端部にはアウト玉入口２６が設けられている。
【００３４】
また、図示せぬが、遊技盤１２の遊技領域側の所定の位置には障害釘が設けられている。
【００３５】
遊技盤１２の中央部分には、ディスプレイ２８が配置され、このディスプレイ２８の右側には回転表示装置３０が隣接配置されている。
【００３６】
ディスプレイ２８は、液晶等の画像表示手段を用いて構成されたもので、パチンコ遊技機１０の遊技演出画像及びその他必要な情報が表示されるようになっている。
【００３７】
回転表示装置３０は、複数の表示板３２を連続して送り出すことにより連続画像の表示を行うもので、その回転表示部３４に、それ単独で、またはディスプレイ２８と共同して、パチンコ遊技機１０の遊技演出画像及びその他必要な情報を表示するようになっている。
【００３８】
図２には、本実施の形態における回転表示装置３０の拡大縦断面図が示されている。
【００３９】
この回転表示装置３０は、遊技盤１２に形成した開口部３６の裏面側に取り付けられる裏側ケース３８内に複数の表示板３２を取り付けた回転体４０が組み込まれている。
【００４０】
また、遊技盤１２の表側には、表側ケース４２が取り付けられ、この表側ケース４２にて開口部３６の表側が覆われるようになっている。
【００４１】
この表側ケース４２には、透明板４４付きの窓部４６が形成され、この窓部４６より回転表示部３４に表示される連続画像表示が見えるようになっている。
【００４２】
回転体４０は、ドラム形状に形成され、遊技盤１２の面に平行して水平に、かつ、回転可能に掛け渡されている。
【００４３】
この回転体４０の両端には、円盤状のフランジ４８が設けられ、この両側フランジ４８の外周部間に複数の表示板３２の一端側が等間隔にかつ回動可能に取り付けられている。
【００４４】
また、回転体４０は、裏側ケース３８の側面に取り付けた駆動手段としての図示せぬステッピングモータにより回転駆動されると共に、任意の位置で停止可能とされている。
【００４５】
表示板３２は、上下一対の表示板３２によって所定の表示、例えばアニメーションを表示するもので、取り付けられる表示板３２の枚数は必要に応じて設定できる。
【００４６】
例えば、１００枚の表示板３２を取り付けた場合には、１００枚の連続アニメーション表示を行うことができる。
【００４７】
さらに、表側ケース４２の上部ほぼ中央位置には、取り付け部材５２を介して、上側に位置する表示板３２の上端部を係止する係止部材５４が設けられている。
【００４８】
そして、この係止部材５４に係止された表示板３２は、回転体４０の回転により一定のテンションがかかった状態で係止部材５４との係止状態からのがれ、勢いよくめくられるようになっている。
【００４９】
従って、回転体４０を回転駆動することにより、例えば、連続したアニメーションポーズの描かれた表示板３２が一定間隔でパラパラと勢いよくめくられるパラパラアニメーション表示が行われ、これにより連続アニメーションによる視覚的な演出を行うことができる。
【００５０】
図３には、本実施の形態における表示板の斜視図が示されている。
【００５１】
この表示板３２は、上下一対の表示板３２により所定の表示を行うもので、表示シール５６と、表示板本体５８とを有している。
【００５２】
表示シール５６は、所定の表示対象６０の上下一方を分割表示した状態となっており、上下一対の表示シール５６によって所定の表示対象６０を表示し得るようになっている。
【００５３】
例えば、上側の表示シール５６ａには、表示対象６０の上半分が分割表示され、下側の表示シール５６ｂには、表示対象６０の下半分が分割表示された状態となっている。
【００５４】
表示板本体５８は、射出成形によってほぼ長方形状に形成され、上下一対の表示板本体５８ａ、５８ｂによりほぼ正方形状をなすもので、各表示板本体５８は、貼着部６２と、枠部６４と、軸支部６６とを有している。
【００５５】
貼着部６２は、表示板本体５８の表裏両面にそのほぼ全面にわたって形成された薄板状のもので、表示シール５６を貼着可能とされている。
【００５６】
枠部６４は、貼着部６２の外周の一辺（上下の表示板本体５８ａ、５８ｂの隣接、対向する辺）を除き他の３辺を囲うようになっており、貼着部６２に表示シール５６を貼着した状態で表面シール５６の表面よりも高くより隆起した状態となっている。
【００５７】
軸支部６６は、枠部６４の形成されていない一辺側より両側方に突出して、回転体４０のフランジ４８に形成した支持係合孔６８（図２参照）に挿通、係合されるようになっている。
【００５８】
また、貼着部６２は、枠部６４の両隅部７０ａ、７０ｂにおける形状が互いに異なる形状とされている。
【００５９】
具体的には、左側の隅部７０ａは所定角度傾斜した直線状となっており、右側の隅部７０ｂはアール形状とされている。
【００６０】
そして、この表示シール５６を貼着部６２の形状に相応した形状としている。
【００６１】
具体的には、貼着部６２の左側の隅部７０ａと対応する角部７２ａを所定角度傾斜した直線状に形成するとともに、右側の隅部７０ｂに対応した角部７２ｂをアール状に形成している。
【００６２】
貼着部６２及び表示シール５６をこのような形状とすることにより、上下一対の表示シールがよく似た絵柄等である場合であっても、上下の表示シール５６ａ、５６ｂを上下逆さに取り付けようとすると、正常な状態でなければ貼着部６２の隅部７０ａ、７０ｂと表示シール５６の角部７２ａ、７２ｂの形状が合わなくなり、その結果、上下一対の表示シール５６ａ、５６ｂを上下逆さに取り付けてしまうのを防止することができる。
【００６３】
また、表示シール５６には、上下一対の表示シール５６ａ、５６ｂのうちいずれが上または下であるかを示す上下表示７４を付している。
【００６４】
具体的には、上側の表示シール５６ａには右上に上下表示７４が付してあり、下側の表示シール５６ｂには右下に上下表示７４が付してあり、これによって、上側の表示シール５６ａと下側の表示シール５６ｂとを区別できるようにしてある。
【００６５】
さらに、この上下表示７４は、本実施の形態では、上下表示７４は、上下一対の表示シール５６ａ、５６ｂの貼り付け順を示す表示、例えば数字となっている。
【００６６】
例えば、この場合、６番目の表示を行うための表示シール５６ａ、５６ｂであり、この上下一対の表示シール５６ａ、５６ｂの貼り付け順を間違えないようにしている。
【００６７】
図４は、本発明の他の実施の形態に係る回転表示装置の部分拡大断面図である。
【００６８】
この実施の形態では、表示板本体５８の両側方に突出する軸支部６６ａ、６６ｂを、それぞれ太さを相違させて形成し、回転体４０の両側フランジ４８に、それぞれ軸支部６６ａ、６６ｂの太さに対応して大きさの相違する支持係合孔６８ａ、６８ｂを形成するようにしている。
【００６９】
具体的には、左側に突出する軸支部６６ａの太さを太くし、左側のフランジ４８の支持係合孔６８ａを大きく形成するとともに、右側の軸支部６６ｂを細く形成し、右側のフランジ４８の支持係合孔６８ｂを小さく形成している。
【００７０】
このように形成することで、表示板３２の表裏が見分けにくい場合であっても、軸支部６６ａ、６６ｂの太さと支持係合孔６８ａ，６８ｂの大きさとが合致するように取り付けなければ取り付け不能となり、フランジ４８に対して表裏逆に取り付けるのを確実に防止できるようにしている。
【００７１】
他の構成及び作用は前記実施の形態と同様につき説明を省略する。
【００７２】
図５は、本発明のさらに他の実施の形態に係る回転表示装置の部分拡大断面図である。
【００７３】
この実施の形態では、表示板本体５８の両側方に突出する軸支部６６ｃ、６６ｄを、一方、例えば左側が長く、他方、例えば右側が短く形成され、回転体４０のフランジ４８には、一方、例えば左側に長い軸支部６６ｃを支持する貫通した支持係合孔６８ｃが形成され、他方に短い軸支部６６ｄを支持する一端が閉塞した支持係合孔６８ｄが形成された状態としている。
【００７４】
このようにすることで、長い軸支部６６ｃを一端が閉塞した支持係合孔６８ｄに取り付けようとしても取り付けができず、軸支部６６ｃ、６６ｄと支持係合孔６８ｃ、６８ｄを合致させなければならないため、４の実施の形態の場合と同様に、表示板３２の表裏が見分けにくい場合であっても、フランジ４８に対して表裏逆に取り付けるのを確実に防止することができる。
【００７５】
他の構成及び作用は前記実施の形態と同様につき説明を省略する。
【００７６】
図６は、本発明のさらに実施の形態に係る回転表示装置を示す概略斜視図である。
【００７７】
この実施の形態では、各表示板３２に、表示板３２の取り付け順番を示す表示７６が設けられ、回転体４０のフランジ４８には、各表示板３２の取り付け位置にその順番に対応した表示７８を設けるようにしている。
【００７８】
例えば、表示板本体５８の枠部６４に表示板の取り付け順番を示す数字１、２、３…を設け、回転体４０のフランジ４８に表示板３２の取り付け位置にその順番に対応した数字１、２、３…を設けるようにしている。
【００７９】
このようにすることで、表示板３２の絵柄が判別しにくい場合でも、各表示板３２に付された表示７６と、回転体４０のフランジ４８に付された表示７８とを合致させるように取り付けていくことで、フランジ４８に対する表示板３２の取り付け順番を誤ることなく確実に取り付けることができる。
【００８０】
また、この表面板３２の取り付け順番を示す表示７６は、枠部６４に表記するのを省略して、表示シール５６ａ、５６ｂに付した貼り付け順を示す上下表示７４を表示板３２の取り付け順番を示す表示として用いるようにしてもよい。
【００８１】
この場合、表示板本体５８側には、表示板３２の上下を示す表示を表示シール５６の表示よりも明確に付すようにしてもよい。
【００８２】
図７は、本発明のさらに他の実施の形態に係る回転表示装置の部分概略斜視図である。
【００８３】
この実施の形態では、回転体４０の一方の、例えば右側のフランジ４８の外周部には、各表示板３２の取り付け位置に、外周側に開口８０を有し、軸支部６６を開口８０より弾発性にて嵌入可能にする支持係合孔６８ｅを形成し、他方、例えば左側のフランジ４８には、通常の貫通孔からなる支持係合孔６８を形成するようにしている。
【００８４】
そして、他方（左）側の軸支部６６を他方（左）側のフランジ４８の支持係合孔６８内に挿入した状態で、一方（右）側の軸支部６６を一方（右）側のフランジ４８の外周側の開口８０より弾発性により支持係合孔６８ｅに嵌入することで、枠部６４の存在により表示板３２を湾曲させにくい場合であっても、表示板３２をフランジ４８に対して容易に取り付けることができる。
【００８５】
なお、他方（左）側のフランジに形成した通常の貫通孔からなる支持係合孔６８を一方（右）側の支持係合孔６８ｅと同様に開口部８０を有するものとして形成することも可能である。
【００８６】
他の構成及び作用は前記実施の形態と同様につき説明を省略する。
【００８７】
本発明は、前記実施の形態に限定されるものではなく、本発明の要旨の範囲内において種々の形態に変形可能である。
【００８８】
例えば、前記実施の形態では、貼着部の両隅部における形状を所定角度傾斜した直線状のものとアール状のものとしたが、この例に限定されるものではなく、両隅部における形状が互いに異なる形状であれば種々の形状を採用することが可能である。
【００８９】
また、前記実施の形態では、上下表示、取り付け順番を示す表示及び取り付け順番に対応した表示をそれぞれ数字としているが、この例に限定されるものではなく、上下や順番を表示できる記号その他を用いることが可能である。
【００９０】
この場合、各表示は、プレーヤに分かりづらい位置や表示方向、形式が望ましく、例えば細く、小さく、図柄に紛れ込ませたり、色遣いによって分かりにくい状態とするとよい。
【００９１】
さらに、図６の実施の形態におけるフランジに付する取り付け順番に対応した表示に変えて、回転体の原点位置を原点センサで検出するための原点表示突起をフランジに設けておき、この原点表示突起を始点として順番に表示板を取り付けていくようにすることも可能である。
【００９２】
また、表示板本体は前記実施の形態では、射出成形によって形成される場合を示したが、この例に限らず、プレス等によって形成することも可能である。
【００９３】
さらに、前記実施の形態では、表面板本体の枠部は、貼着部に表示シールを貼着した状態で表示シールの表面より高く隆起した状態となっているが、表示シールを貼った状態で表示シールの表面とほぼ一致する高さとすることもできる。
【００９４】
また、表示板本体は、前記実施の形態に限らず、表示シールを貼着する表裏両面の薄板状の貼着部と、この貼着部の一辺側より両側方に突出してフランジと係合する軸支部とを有するものとし、前記貼着部の前記軸支部側と反対側の両角部における形状を互いに異なる形状とし、表示シールを貼着部の形状に相応した形状とすることも可能である。
【図面の簡単な説明】
【００９５】
【図１】本発明の一実施の形態に係る回転表示装置を用いたパチンコ遊技機を示す正面図である。
【図２】図１の回転表示装置の拡大縦断面図である。
【図３】図１及び図２の表示板の斜視図である。
【図４】本発明の他の実施の形態に係る回転表示装置の部分拡大断面図である。
【図５】本発明のさらに他の実施の形態に係る回転表示装置の部分拡大断面図である。
【図６】本発明のさらに他の実施の形態に係る回転表示装置の概略斜視図である。
【図７】本発明のさらに他の実施の形態に係る回転表示装置の部分概略斜視図である。
【符号の説明】
【００９６】
３０  回転表示装置
３２  表示板
５６、５６ａ、５６ｂ  表示シール
５８、５８ａ、５８ｂ  表示板本体
６０  表示対象
６２  貼着部
６４  枠部
６６、６６ａ〜６６ｄ  軸支部
６８、６８ａ〜６８ｅ  支持係合孔
７０ａ、７０ｂ  隅部
７２ａ、７２ｂ  角部
７４  上下表示
７６  取り付け順番を示す表示
７８  取り付け順番に対応した表示
８０  開口
【図１】
2006081950.tif 000003
【図２】
2006081950.tif 000004
【図３】
2006081950.tif 000005
【図４】
2006081950.tif 000006
【図５】
2006081950.tif 000007
【図６】
2006081950.tif 000008
【図７】
2006081950.tif 000009